(57)【要約】      （修正有）【課題】弾力性ロック装置において、電気継手を相手電気継手から円滑に離すことを確保し、その係止部の変形及びその相手電気継手の絶縁本体の摩耗を免れる。【解決手段】電気継手の上に取り付けられて相手電気継手を係止する弾力性ロック装置１である。この弾力性ロック装置は、取付部１０と、押付部１１と、係止部とを有し、その取付部が電気継手における絶縁本体の頂面上に固定される。この押付部１２での後端と前端はそれぞれ固定端１１１と自由端に定義され、その固定端が取付部に一体に接続され、その押付部が絶縁本体の頂面に対して突起となる。係止部が押付部の自由端に一体に連続され前に向けて延ばされる。これにより、係止部と絶縁本体の頂面との間には隙間Ｇが形成され、押付部を下に向けて押し付ける際にその係止部が該隙間に向かって移動する。【選択図】図１
0003118695.tif 000002
【実用新案登録請求の範囲】
【請求項１】
電気継手の上に取り付けられて相手電気継手を係止する弾力性ロック装置であって、
前記電気継手における絶縁本体の頂面に固定される取付部と、
後端と前端はそれぞれ固定端と自由端に定義され、その固定端が前記取付部に一体に接続され、前記絶縁本体の頂面に対して突起となる押付部と、
前記押付部の自由端に一体に連続され前に向けて延ばされて、前記絶縁本体の頂面との間に隙間を形成し、前記押付部を下に向けて押し付ける際に該隙間に向かって移動する係止部と、を備えることを特徴とする弾力性ロック装置。
【請求項２】
前記取付部には、固定穴が設けられることを特徴とする請求項１記載の弾力性ロック装置。
【請求項３】
前記取付部には、各々２つの側縁に位置するように２つの位置決めフランジが設けられることを特徴とする請求項１記載の弾力性ロック装置。
【請求項４】
前記取付部には、各々２つの側縁に位置するように２つの突起爪が設けられることを特徴とする請求項１記載の弾力性ロック装置。
【請求項５】
前記押付部は、立上り部、水平部、連結部を有し、前記水平部の後端と前端が各々前記立上り部の頂端と前記連結部の頂端に連接され、前記立上り部の底端と前記連結部の底端が各々前記取付部と前記係止部に連接されることを特徴とする請求項１記載の弾力性ロック装置。
【請求項６】
前記押付部の縦断面は円弧形状であることを特徴とする請求項１記載の弾力性ロック装置。
【請求項７】
前記押付部は、斜面部と連結部を有し、前記斜面部の頂端が前記連結部の頂端に連結され、前記斜面部の底端と前記連結部の底端がそれぞれ前記取付部と前記係止部に連結されることを特徴とする請求項１記載の弾力性ロック装置。
【請求項８】
前記押付部には、複数の凸状縞形状が設けられることを特徴とする請求項１記載の弾力性ロック装置。
【請求項９】
前記係止部には、上に向けて延びるように少なくとも１つの凸部が設けられることを特徴とする請求項１記載の弾力性ロック装置。
【請求項１０】
前記少なくとも１つの凸部には、前記係止部の前端に向かうように案内斜面が形成されることを特徴とする請求項９記載の弾力性ロック装置。
【請求項１１】
前記係止部には、上に向けて延びるように２つの凸部が設けられることを特徴とする請求項１記載の弾力性ロック装置。
【請求項１２】
前記係止部は、前記取付部に平行であることを特徴とする請求項１記載の弾力性ロック装置。
【考案の詳細な説明】
【技術分野】
【０００１】
本考案は、弾力性ロック装置に関し、詳しくは、電気継手に適用する弾力性ロック装置に関する。
【背景技術】
【０００２】
相手電気継手は様々な仕様を有し、各電子機器ヘの使用が普及している。電気継手は相手電気継手に連結されて、その電気継手の端子を相手電気継手の端子に電気的に接触させる。電気継手と相手電気継手との間に介する突合せ状態の固着性を確保するために、電気継手の上に取り付けられて相手電気継手を係止する弾力性ロック装置が提供される。
【０００３】
従来の弾力性ロック装置として、米国特許２００５−０１０１１７６号公報に開示される係止素子は第１の脚部と第２の脚部を含む。その第１の脚部と第２の脚部がＶ字形となる。第１の脚部は電気継手の絶縁本体上に固定される。第２の脚部は第１の部分、第２の部分、第３の部分を有する。その第１の部分が第１の脚部に連結され２つの凸部を設けられて、その第２の部分が第１の部分と第３の部分との間に連結される。
【０００４】
電気継手が相手電気継手に連結される際に、その凸部が相手電気継手における絶縁本体の係止穴内に係止されて、電気継手と相手電気継手との間に介する突合せ状態の固着性が確保される。
【０００５】
第２の脚部の第３の部分が下に向けて押された際に、その第２の脚部の第１の部分の凸部が係止穴から脱出されて、電気継手を相手電気継手から離すことができる。
【０００６】
なお、第２の脚部の第３の部分が下に向けて押された際に、その第２の脚部の第１の部分の凸部が、まず、相手電気継手の絶縁本体を推進させてから係止穴から脱出される。結果として、その電気継手が円滑に相手電気継手から離れることができなく、その凸部が変形しやすく、相手電気継手に対する絶縁本体が摩耗しやすい。
【０００７】
以上の説明からわかるように、上記従来の弾力性ロック装置は、実際の使用で、不便と欠点が明らかに存在し、改良が必要である。
【０００８】
よって、本考案者らは、上記の不具合と欠点を改良するために、学理の運用で研究し、設計の合理化で上記の不具合と欠点を効果的に改良することができる本考案を提供する。
【考案の開示】
【考案が解決しようとする課題】
【０００９】
本考案の主な目的としては、電気継手と相手電気継手との間に介する突合せ状態の固着性が確保され、かつ、電気継手が円滑に相手電気継手から離れることが確保される、さらに、その弾力性ロック装置の変形及びその相手電気継手の絶縁本体の摩耗を免れることもできる弾力性ロック装置を提供することである。
【課題を解決するための手段】
【００１０】
上記の目的を達成するために、本考案は、電気継手の上に取り付けられて相手電気継手を係止する弾力性ロック装置である。この弾力性ロック装置は、取付部と、押付部と、係止部とを有し、その取付部が電気継手における絶縁本体の頂面上に固定される。この押付部での後端と前端はそれぞれ固定端と自由端に定義され、その固定端が取付部に一体に接続され、その押付部が絶縁本体の頂面に対して突起となる。係止部が押付部の自由端に一体に連続され前に向けて延ばされる。これにより、係止部と絶縁本体の頂面との間には隙間が形成され、押付部を下に向けて押し付ける際にその係止部が該隙間に向かって移動する。
【考案の効果】
【００１１】
本考案によれば、係止部と相手電気継手との連結で、電気継手と相手電気継手との間に介する突合せ状態の固着性が確保される。係止部が押付部の自由端に連結され前に向けて伸ばされて、電気継手を相手電気継手から円滑に分離することが確保でき、その係止部の変形及びその相手電気継手の絶縁本体の摩耗を免れることもできる。
【考案を実施するための最良の形態】
【００１２】
さらに、本考案は、所定の目的を達成するために使用された技術、方法並びに機能がより一層理解されるように、本考案に関する詳しい説明と添付図面を参照することにより、本考案における目的、特徴並びに特色を、具体的かつより深く理解できると考えられる。なお、添付図面は単なる参考または本考案の説明に用いるが、本考案を制限するものではない。
【００１３】
図１〜図３は本考案の実施例１を示す。実施例１は、電気継手８の上に取り付けられて相手電気継手（図略）を係止する弾力性ロック装置１である。電気継手８及び相手電気継手はそれぞれ絶縁本体とその絶縁本体内に収納された複数の端子（図略）を有する。電気継手８の絶縁本体８０及び相手電気継手の絶縁本体（図略）が互いに対応していて、電気継手８の端子（図略）と相手電気継手の端子（図略）とを電気的に相互接触させる。
【００１４】
弾力性ロック装置１は、金属シートから一体形成され、さらに、取付部１０と、押付部１１と、係止部１２とを含む。
【００１５】
取付部１０には１つの固定穴１０１と各々２つの側縁に位置するように２つの位置決めフランジ１０２とが設けられる。電気継手８における絶縁本体８０の頂面８０１には１つの固定ブロック（図略）と２つの位置決め壁（図略）とが設けられる。固定穴１０１が固定ブロックに対応され、２つの位置決めフランジ１０２が各々位置決め壁に対応されることにより、取付部１０が電気継手８における絶縁本体８０の頂面８０１上に安定に固定される。
【００１６】
押付部１１での後端と前端はそれぞれ固定端１１１と自由端１１２に定義され、その固定端１１１が取付部１０に一体に接続され、その押付部１１が絶縁本体８０の頂面８０１に対して突起となる。
【００１７】
実施例１において、押付部１１は立上り部１１３、水平部１１４、連結部１１５を含む。その水平部１１４の後端と前端が各々立上り部１１３の頂端と連結部１１５の頂端に連接される。立上り部１１３の底端と連結部１１５の底端とが各々取付部１０と係止部１２とに連接される。
【００１８】
係止部１２は押付部１１の自由端１１２に一体に連続されて前に向けて延ばされる。係止部１２は取付部１０に平行であり、係止部１２と電気継手８における絶縁本体８０の頂面８０１との間には隙間Ｇが形成されて、係止部１２を下へ移動させることができる。
【００１９】
一方、係止部１２には、上に向けて延びるように少なくとも１つの凸部１２１が設けられる。実施例１において、係止部１２には、上に向けて延びるように２つの凸部１２１が設けられて、係止部１２がその相手電気継手の絶縁本体を係止する時の固着性が増加される。
【００２０】
電気継手８が相手電気継手に連結する際に、係止部１２の凸部１２１を相手電気継手における絶縁本体の係止穴内に係止させて、電気継手８と相手電気継手との間に介する突合せ状態の固着性を確保する。
【００２１】
押付部１１が下に向かって押し付けられる際に、その係止部１２が隙間Ｇに向かって移動する。係止部１２の凸部１２１は、前に移動して係止穴から直接脱出されて、電気継手８を円滑に相手電気継手から離すことができる。これら凸部１２１は、相手電気継手の絶縁本体へ後押しされないため、これら凸部１２１が変形することがなく、相手電気継手の絶縁本体に対する摩耗も発生しない。
【００２２】
図４及び図５は本考案の実施例２を示す。実施例２において、弾力性ロック装置２は、取付部２０と、押付部２１と、係止部２２とを有し、この押付部２１の固定端２１１が取付部２０に一体連結され、係止部２２が押付部２１の自由端２１２に一体連結される。その取付部２０には固定穴２０１が設けられる。係止部２２には２つの凸部２２１が設けられる。係止部２２と電気継手８における絶縁本体８０の頂面８０１との間には隙間Ｇが形成される。実施例２と実施例１との主な異なる点は、押付部２１の縦断面が円弧形状であることである。
【００２３】
図６〜図８は本考案の実施例３を示す。実施例３において、弾力性ロック装置３は、取付部３０と、押付部３１と、係止部３２とを有し、この押付部３１の固定端３１１が取付部３０に一体連結され、係止部３２が押付部３１の自由端３１２に一体連結される。その取付部３０には固定穴３０１と２つのフランジ３０２とが設けられる。取付部３０は、前に向けて係止部３２の下方へ延ばされ、さらに、取付部３０には２つの突起爪３０３が設けられる。その２つの突起爪３０３は２つの側縁に位置して、電気継手８の絶縁本体８０内に嵌め込み、取付部３０の固着力を増加させる。実施例３において、押付部３１は斜面部３１３と連結部３１５を有し、その斜面部３１３の頂端が連結部３１５の頂端に連結され、その斜面部３１３の底端と連結部３１５の底端がそれぞれ取付部３０と係止部３２に連結される。押付部３１の斜面部３１３には、さらに複数の突起縞形状３１６が設けられて、押付部３１をより一層容易に押し付けることができる。その係止部３２には、上に向かうように少なくとも１つの凸部３２１（図６に示すように、実施例３の係止部３２では、２つの凸部３２１を設けられる）が設けられる。その少なくとも１つの凸部３２１には、係止部３２の前端に向けるように案内斜面３２２が形成され、電気継手８をより一層容易に相手電気継手に連結することができる。係止部３２と電気継手８における絶縁本体８０の頂面８０１との間には隙間Ｇが形成される。
【００２４】
図９及び図１０は本考案の実施例４を示す。実施例４において、弾力性ロック装置４は、取付部４０と、押付部４１と、係止部４２とを含み、この押付部４１の固定端４１１が取付部４０に一体連結され、係止部４２が押付部４１の自由端４１２に一体連結される。取付部４０は、後ろに延ばされ、２つの側縁に位置するように少なくとも２つの突起爪４０３がそれぞれ設けられ、電気継手８の絶縁本体８０内に嵌め込まれる。実施例４の押付部４１と係止部４２はそれぞれ実施例３の押付部３１と係止部３２に相当する。押付部４１は斜面部４１３と連結部４１５とを有する。押付部４１の斜面部４１３には、さらに複数の突起縞形状４１６が設けられる。係止部４２には、上に向かうように少なくとも１つの凸部４２１が設けられる（図９に示すように、実施例４の係止部４２では、２つの凸部４２１が設けられる）。その少なくとも１つの凸部４２１には、係止部４２の前端に向かうように案内斜面４２２が形成される。係止部４２と電気継手８における絶縁本体８０の頂面８０１との間には隙間Ｇが形成される。
【００２５】
実施例１〜４からわかるように、このような取付部は、異なる構成により、その電気継手の絶縁本体に固定されることができる。また、このような取付部は、電気継手における絶縁本体の頂面に対応して異なる隆起を現わすことが可能である。このような係止部の凸状ブロックは、異なる構成により、電気継手の絶縁本体に係止することができる。
【００２６】
弾力性ロック装置の特徴は、以下の通りがある。
（１）  係止部の凸部はその相手電気継手の係止穴に係止されて、電気継手と相手電気継手との間に介する係止状態の固着性を確保することができる。
（２）  係止部は前に向かうように押付部の自由端に連結され、その押付部を下に向けて押し付ける際に、係止部の凸部が相手電気継手の係止穴から直接脱出されて、電気継手が円滑に相手電気継手から脱出されことが確保される。
（３）  係止部の凸部が相手電気継手の係止穴から直接脱出されて、その係止部の変形及びその相手電気継手の絶縁本体の摩耗を免れることができる。
【００２７】
本考案は、すでに登録の要件に符合し、法律に基づいた出願である。
【００２８】
なお、上述した説明及び説明に用いた図面は、本考案の各々実施例を説明するものにすぎず、本考案及び本考案の特徴を制限することはなく、当該技術の領域において通常の知識を持つ者が本考案の精神にしたがって適切の修飾や変化を与えるものは、全て本考案の範囲内に属する。
【図面の簡単な説明】
【００２９】
【図１】本考案の弾力性ロック装置の実施例１を示す斜視図である。
【図２】本考案の弾力性ロック装置の実施例１を示す側面図である。
【図３】本考案の弾力性ロック装置の実施例１を示す底面図である。
【図４】本考案の弾力性ロック装置の実施例２を示す斜視図である。
【図５】本考案の弾力性ロック装置の実施例２を示す側面図である。
【図６】本考案の弾力性ロック装置の実施例３を示す斜視図である。
【図７】本考案の弾力性ロック装置の実施例３を示す側面図である。
【図８】本考案の弾力性ロック装置の実施例３を示す底面図である。
【図９】本考案の弾力性ロック装置の実施例４を示す斜視図である。
【図１０】本考案の弾力性ロック装置の実施例４を示す側面図である。
【符号の説明】
【００３０】
１：弾力性ロック装置
１０：取付部
１０１：固定穴
１０２：位置決めフランジ
１１：押付部
１１１：固定端
１１２：自由端
１１３：立上り部
１１４：水平部
１１５：連結部
１２：係止部
１２１：凸部
Ｇ：隙間
２：弾力性ロック装置
２０：取付部
２０１：固定穴
２１：押付部
２１１：固定端
２１２：自由端
２２：係止部
２２１：凸部
Ｇ：隙間
３：弾力性ロック装置
３０：取付部
３０１：固定穴
３０２：位置決めフランジ
３０３：突起爪
３１：押付部
３１１：固定端
３１２：自由端
３１３：斜面部
３１５：連結部
３１６：凸状縞
３２：係止部
３２１：凸部
３２２：案内斜面
Ｇ：隙間
４：弾力性ロック装置
４０：取付部
４０３：突起爪
４１：押付部
４１１：固定端
４１２：自由端
４１３：斜面部
４１５：連結部
４１６：凸状縞
４２：係止部
４２１凸部
４２２：案内斜面
Ｇ：隙間
８：電気継手
８０：絶縁本体
８０１：頂面
【図１】
0003118695.tif 000003
【図２】
0003118695.tif 000004
【図３】
0003118695.tif 000005
【図４】
0003118695.tif 000006
【図５】
0003118695.tif 000007
【図６】
0003118695.tif 000008
【図７】
0003118695.tif 000009
【図８】
0003118695.tif 000010
【図９】
0003118695.tif 000011
【図１０】
0003118695.tif 000012